(57)【要約】【課題】フランジ継ぎ手で相互に結合された長尺の吸込ホースのフランジ継ぎ手部分を固定して支持する支持具、及び、それを用いた同吸込ホースの配管方法を提供する。  【解決手段】・・・  フランジ継ぎ手３で相互に結合された吸込ホースのフランジ継ぎ手の突縁４ａ、４ｂの外周に沿うように曲げられた、その外周の半分弱の長さを持つ板材５ａ、６ａを本体とする、フランジ継ぎ手の二つの突縁を挟み込む形の二つ割れのＡクランプ部材５、及び、Ｂクランプ部材６から成る支持具１であって、Ａクランプ部材５がフランジ継ぎ手固定対象部材８に固定され、Ｂクランプ部材６が、ボルト７ａ・ナット７ｂでＡクランプ部材に固定されることにより、フランジ継ぎ手３部分をフランジ継ぎ手固定対象部材にしっかりと固定する吸込ホースのフランジ継ぎ手部分の支持具１、及び、それを用いるフランジ継ぎ手で相互に結合された吸込ホースの配管方法。【選択図】図１
2018004065.tif 000002
【特許請求の範囲】
【請求項１】
フランジ継ぎ手で相互に結合された吸込ホースの該フランジ継ぎ手の二つの突縁を挟み込む形の二つ割れのＡクランプ部材、及び、Ｂクランプ部材から成る支持具であって、両クランプ部材はそれぞれ該フランジ継ぎ手の突縁の外周に沿うように曲げられた、該外周の半分弱の長さを持つ板材を本体とし、該Ａクランプ部材が該フランジ継ぎ手部分を固定する対象である固定部材（以下「フランジ継ぎ手固定対象部材」と言う）に固定され、該Ｂクランプ部材が、ボルト・ナット等の留め具で該Ａクランプ部材に固定されることにより、該フランジ継ぎ手部分を挟み込んで該フランジ継ぎ手固定対象部材に固定する吸込ホースのフランジ継ぎ手部分の支持具。
【請求項２】
請求項１に記載のフランジ継ぎ手で相互に結合された吸込ホースのフランジ継ぎ手部分の支持具であって、前記フランジ継ぎ手の突縁の外周に沿うように曲げられた板材の幅方向の両端部に、前記フランジ継ぎ手の二つの突縁の側壁を両側から挟む形の円弧状の凸部を設けたフランジ継ぎ手部分の支持具。
【請求項３】
請求項１または請求項２に記載のフランジ継ぎ手で相互に結合された吸込ホースのフランジ継ぎ手部分の支持具、及び、前記フランジ継ぎ手で相互に結合された吸込ホースの、該吸込ホース部分を取り巻くＵ字型、または、環状の板材又は棒材から成り、該吸込ホース部分を固定する対象である固定部材（以下「吸込ホース固定対象部材」と言う）に固定する支持具とを用いる、フランジ継ぎ手で相互に結合された吸込ホースの配管方法。
【発明の詳細な説明】
【技術分野】
【０００１】
本発明は、フランジ継ぎ手で相互に結合された長尺の吸込ホースのフランジ継ぎ手部分を固定する支持具及びそれを用いた同吸込ホースの配管方法に関するものである。
【背景技術】
【０００２】
吸込ホースは、サクションホース、あるいは、吸引ホースとも呼ばれ、スパイラル状の金属線や樹脂線と、オレフィン系硬質樹脂や、硬質塩化ビニールと軟質塩化ビニール等を組み合わせて構成される。耐圧は通常−０．１から１．０ＭＰａを有し、化学分析装置の資料採取部と分析装置本体の間をつなぐ小口径・短尺のものから、後述する特許文献１の垂直揚土装置のように大口径・長尺のものまで、各種業務分野で広く使用されている。
【０００３】
長尺の吸込ホースが必要な際には、ネジ継ぎ手、フランジ継ぎ手、専用ジョイント等を持ちいて吸込ホース同士を結合する。耐圧の高い場合や、後述する特許文献１のように結合される二つの吸込ホース内面をフラットに接続したい場合には、フランジ継ぎ手が良く用いられる。
【０００４】
前述の通り、吸込ホースの用途は種々あるが、多くの場合は掃除機本体と吸込ノズル部を繋ぐ吸込ホースのように、機器と機器の間を繋ぐだけで用が足りる場合が多い。特許文献１のように長尺の吸込ホースを用いる場合にも、あくまでも仮設的な扱いである。どちらの場合も、吸込ホースを配置するルートを厳密に定められることはなく、したがって、吸込ホースのために特別に考えられた支持具や固定具は見当たらない。
【０００５】
しかし、定期的に補修のため系統から隔離される本設配管の補修期間中の代替配管としてフランジ継ぎ手で結合された長尺の吸込ホースがプラント内に常設される場合もある。この様な場合には、長期間の使用に耐えるために、いくつかの配慮が必要になる。
【０００６】
まず、フランジ継ぎ手で相互に結合された長尺の吸込ホースを床の上にじか置きすると、そのフランジ継ぎ手は床に密着し、メインテナンスがやりにくくなるばかりではなく、腐食も起こりやすくなるので、フランジ継ぎ手を床との間に隙間を空けて配置する必要がある。
【０００７】
次に、吸込ホースの内部流体の圧力の変動等により、フランジ継ぎ手が振動したり、踊ったりして動くと、そのフランジ継ぎ手に近接する吸込ホースに局部的に大きな応力がかかり、吸込ホースの耐久性に問題が生ずる恐れがある。これを防ぐためには、フランジ継ぎ手をしっかりと固定する必要がある。
【０００８】
さらに、他の配管や機器との干渉を避け、作業員の往来に支障を来さないように、本設配管同様に設計図面に従って指示された位置に配置する必要がある。そのためには、フランジ継ぎ手の部分だけでなく、吸込ホースの部分も適切に固定して支持する必要がある。
【０００９】
特許情報プラットホームの特許・実用新案テキスト検索を用いて、「要約＋請求の範囲」欄に、「吸込ホース  サクションホース  吸い込みホース  吸引ホース」の言葉と、「フランジ」の言葉と、さらに、「拘束  支持  サポート  固定」の言葉を含む公開特許公報及び公開実用新案公報を検索したところ、２２件がヒットした。その中で、吸込ホース同士をフランジ結合しているものは、下記の２件のみであった。
【００１０】
特許文献１「垂直揚土装置」は、地中孔を掘削する際に真空吸引で掘削土砂を地上まで搬送するのに吸引ホースを用いており、地中孔が深くなるにつれてその長さを長くするためにフランジを有する接続装置を用いている。この発明では吸引ホース内面への掘削土砂の付着堆積による詰まりを防止するために、あえて吸引ホースにたるみを持たせる配置をしており、吸込ホース自体はその地上部分では支持具で支持され、その地中孔内にたれ下げた部分では固定部材に連結手段で連結されているものの、フランジを固定したり、図面に指示された位置どおりに吸込ホースを配置する考えはない。
【００１１】
特許文献２「リバースサーキュレイションドリルの掘削装置」は、昇降自在に支持されて回転する、下端にドリルパイプを付けたケリーバーの上端にサクションホース、サクションポンプ、排出管を繋ぎ、水と土砂と土の混合体からなる流体を排出する装置で、ケリーバーと複数のドリルパイプの連結にフランジを用いることには触れているものの、サクションホースの途中に図示されているフランジ継ぎ手状の物にはなんら言及がない。また、サクションホースはサクションポンプとケリーバーの上端に設けられたスイベルジョイントを繋ぐだけで、その間で固定あるいは支持をしようと言う意図は見られない。
【００１２】
これら２件を含むヒットした２２件の中には、吸込ホースを配置するに必要となる適切な固定や支持にふれたものはなかった。また、今まで出願人は、吸込ホースを配置するための特別な支持具や固定具、また、それらを用いた配管方法を見たことがない。
【００１３】
なお、通常使われる鋼管製の配管でも長尺のものが必要であれば、配管の端部にフランジ継ぎ手を設けて互いに結合することが多い。これをプラント内で配置するには、配管部分をＵ字型の板材や棒材で把持し、それを用いて固定部材に固定する。鋼管製配管では、配管部分もフランジ継ぎ手部分と同様に十分な剛性を有しているので、把持するのが容易な配管部分のみを固定すれば十分だからである。
【００１４】
これに対し、フランジ継ぎ手で結合された吸込ホースでは、吸込ホースの部分の剛性が低いために、吸込ホース部分のみをＵ字型の板材や棒材で把持し、それを用いて吸込ホース部分を固定部材に固定する方法では、重量物であるフランジ継ぎ手部分が垂れ下がってしまいフランジ継ぎ手で結合された吸込ホース全体を適切に固定し、保持することができない。
【先行技術文献】
【特許文献】
【００１５】
【特許文献１】特開２０００−２９１０５４号公報
【特許文献２】特開２０００−００２０７４号公報
【非特許文献】
【００１６】
【非特許文献１】無し
【発明の概要】
【発明が解決しようとする課題】
【００１７】
そこで解決しようとする課題は、フランジ継ぎ手で相互に結合された長尺の吸込ホースのフランジ継ぎ手部分を固定し支持する支持具、及び、それを用いたフランジ継ぎ手で相互に結合された長尺の吸込ホースの配管方法を提供することである。フランジ継ぎ手部分を固定し支持する支持具は、その取り扱いが容易なものが望ましい。
【課題を解決するための手段】
【００１８】
上記課題を解決する本発明は、フランジ継ぎ手で相互に結合された吸込ホースの該フランジ継ぎ手の二つの突縁を挟み込む形の二つ割れのＡクランプ部材、及び、Ｂクランプ部材から成る支持具であって、両クランプ部材はそれぞれ該フランジ継ぎ手の突縁の外周に沿うように曲げられた、該外周の半分弱の長さを持つ板材を本体とし、該Ａクランプ部材が該フランジ継ぎ手部分を固定する対象である固定部材（以下「フランジ継ぎ手固定対象部材」と言う）に固定され、該Ｂクランプ部材が、ボルト・ナット等の留め具で該Ａクランプ部材に固定されることにより、該フランジ継ぎ手部分を挟み込んで該フランジ継ぎ手固定対象部材に固定する吸込ホースのフランジ継ぎ手部分の支持具である。
【００１９】
相互に結合された吸込ホースのそれぞれの端部に取りつけられたフランジの、向き合った二つの突縁を挟み込む形の二つ割れのＡクランプ部材、及び、Ｂクランプ部材から成る支持具である。Ａクランプ部材、及び、Ｂクランプ部材は、それぞれフランジ継ぎ手の突縁の外周に沿うように曲げられた、該外周の半分弱の長さを持つ板材を本体とし、一方のＡクランプ部材はフランジ継ぎ手固定対象部材に取りつけられるための脚部と、Ｂクランプ部材との結合部分を有し、他方のＢクランプ部材はＡクランプ部材に固定するための結合部分を有する。
【００２０】
まず、フランジ継ぎ手固定対象部材にＡクランプ部材の脚部を溶接やボルト・ナット等の留め具を用いて固定する。そのＡクランプ部材のフランジ継ぎ手の突縁の外周に沿うように曲げられた板材部分に、固定すべきフランジ継ぎ手の二つの突縁をあてがい、その二つの突縁を上から覆うように、Ｂクランプ部材のフランジ継ぎ手の突縁の外周に沿うように曲げられた板材部分をフランジ継ぎ手の突縁に合わせたのちに、Ｂクランプ部材の結合部分をボルト・ナット等の留め具でＡクランプ部材の結合部分に固定する。
【００２１】
両クランプ部材の本体を成す板材は、それぞれフランジ継ぎ手の突縁の外周の半分弱の長さを持つから、Ｂクランプ部材の結合部分をボルト・ナット等の留め具でＡクランプ部材の結合部分に固定することにより、両クランプ部材はフランジ継ぎ手の突縁の外周をしっかりと挟み込んで把持することができる。
【００２２】
この支持具を使用することにより、フランジ継ぎ手で相互に結合された長尺の吸込ホースのフランジ継ぎ手部分そのものを固定することができ、フランジ継ぎ手を床にじか置きでなく、床との間に隙間を空けて配置することができる。フランジ継ぎ手に係る作業が容易になり、腐食を防止することができる。
【００２３】
さらに、この支持具を使用することにより、フランジ継ぎ手部分を固定部材にしっかりと固定することができるので、吸込ホースの内部流体に圧力変動等が生じても、フランジ継ぎ手が振動したり、踊ったりして動くことが防止できて、フランジ継ぎ手に近接する吸込ホースに局部的な応力がかかり、吸込ホースの耐久性に問題を生ずることを防止できる。
【００２４】
また、上記課題を解決する本発明は、請求項１に記載のフランジ継ぎ手で相互に結合された吸込ホースのフランジ継ぎ手部分の支持具であって、前記フランジ継ぎ手の突縁の外周に沿うように曲げられた板材の幅方向の両端部に、前記フランジ継ぎ手の二つの突縁の側壁を両側から挟む形の円弧状の凸部を設けたフランジ継ぎ手部分の支持具である。
【００２５】
前述の本発明のフランジ継ぎ手部分の支持具を用いるに当たっては、まずフランジ継ぎ手固定対象部材に固定されたＡクランプ部材の板材部分に、固定すべきフランジ継ぎ手の二つの突縁をあてがうが、そのフランジ継ぎ手にはその自重とそれが接続されている長尺の吸込ホースからの力を受けているので、必ずしも容易に板材部分にフランジ継ぎ手の突縁を合わせられるわけではなく、特に、吸込ホースの軸方向にずれやすい。また、その二つの突縁を上から覆うように、Ｂクランプ部材のフランジ継ぎ手の板材部分をフランジ継ぎ手の突縁に合わせてＢクランプ部材の結合部分をボルト・ナット等の留め具でＡクランプ部材の結合部分に固定する際にも、フランジ継ぎ手がＡクランプ部材の板材部分からずれて動かないようにしっかりと支えておく必要が生じることがある。
【００２６】
したがって、作業は、一の作業員がフランジ継ぎ手をＡクランプ部材の板状部分に置いて、その位置で支え、他の作業員がその上からＢクランプ部材の板状部分をあてがって全体を押さえつけ、手の空いた一の作業員がＢクランプ部材の結合部分をボルト・ナット等の留め具でＡクランプ部材の結合部分に固定すると言う二人作業にならざるを得ない。
【００２７】
そこで、フランジ継ぎ手の突縁の外周に沿うように曲げられた板材、すなわち、両クランプ部材の本体を成す板材の幅方向の両端部に、フランジ継ぎ手の二つの突縁の側壁を両側から挟む形の円弧状の凸部を設けることにより、フランジ継ぎ手固定対象部材に固定されたクランプ部材の板材部分に固定すべきフランジ継ぎ手の二つの突縁をあてがう際に、作業員は二つの円弧状の凸部の間にそのフランジ継ぎ手の突縁を置くことにより、容易にそのフランジ継ぎ手の位置、特に、吸込ホースの軸方向の位置を合わせることができる。二人作業の必要がなくなるので、省力化の効果も得られる。
【００２８】
作業員は、その位置でフランジ継ぎ手を、フランジ継ぎ手固定対象部材に固定されたクランプ部材の板材に押しつけながら、さらにその二つの突縁を上から覆うように、他のクランプ部材の板材部分をフランジ継ぎ手の突縁に合わせ、両クランプ部材の結合部分をボルト・ナット等の留め具で固定する作業も一人で容易に行うことができる。
【００２９】
さらに、上記課題を解決する本発明は、請求項１または請求項２に記載のフランジ継ぎ手で相互に結合された吸込ホースのフランジ継ぎ手部分の支持具、及び、前記フランジ継ぎ手で相互に結合された吸込ホースの、該吸込ホース部分を取り巻くＵ字型、または、環状の板材又は棒材から成り、該吸込ホース部分を固定する対象である固定部材（以下「吸込ホース固定対象部材」と言う）に固定する支持具とを用いる、フランジ継ぎ手で相互に結合された吸込ホースの配管方法である。
【００３０】
請求項１に記載のフランジ継ぎ手部分の支持具を用いてフランジ継ぎ手をフランジ継ぎ手固定対象部材に固定すると共に、吸込ホース部分を、従来から鋼管性配管の配管部分の支持や固定に用いられてきたものと同様に、Ｕ字型、または、環状の板材又は棒材から成り、溶接やボルト・ナット等の留め具で吸込ホース固定対象部材に固定されることにより、吸込ホース部分を吸込ホース固定対象部材に固定する支持具を用いて固定することにより、フランジ継ぎ手で相互に結合された吸込ホース全体をしっかりと、かつ、本設配管同様に設計図面に従って指示された位置に配置することができる。
【発明の効果】
【００３１】
本発明の吸込ホースのフランジ継ぎ手部分の支持具を用いることにより、フランジ継ぎ手を床にじか置きでなく、床との間に隙間を空けて配置することができるので、フランジ継ぎ手に係る作業が容易になり、腐食を防止することができる。さらに、吸込ホースの内部流体に圧力変動等が生じても、フランジ継ぎ手が動くことが防止できて、フランジ継ぎ手に近接する吸込ホースの耐久性に問題を生ずることを防止できる。
【００３２】
また、両クランプ部材の本体を成す板材の幅方向の両端部に、フランジ継ぎ手の二つの突縁の側壁を両側から挟む形の円弧状の凸部を設けることにより、取り扱いが容易になり、作業員の負担を軽減することができ、省力化の効果も得られる。
【００３３】
さらに、本発明のフランジ継ぎ手で相互に結合された吸込ホースの配管方法を採用することにより、フランジ継ぎ手で相互に結合された吸込ホース全体をしっかりと、かつ、本設配管同様に設計図面に従って指示された位置に配置することができる。固定対象部材を適宜配置すれば、フランジ継ぎ手で相互に結合された吸込ホースを空中に敷設することも容易である。
【図面の簡単な説明】
【００３４】
【図１】本発明の吸込ホースのフランジ継ぎ手部分の支持具の実施例１の正面図（ａ）と側面図（ｂ）である。
【図２】そのＡ−Ａ断面図である。
【図３】本発明の吸込ホースのフランジ継ぎ手部分の支持具の実施例２の正面図（ａ）とＢ−Ｂ断面図（ｂ）である。
【図４】本発明のフランジ継ぎ手で相互に結合された吸込ホースの配管方法（実施例３）の説明図である。
【図５】同配管方法で使用する吸込ホースの吸込ホース部分の支持具の正面図（ａ）と側面図（ｂ）である。
【発明を実施するための形態】
【００３５】
本発明の実施の形態について図面を参照しながら説明をする。なお、本発明はかかる実施の形態には限定されず、本発明の範囲内でその具体的構造に種々の変更を加えて良いことは言うまでもない。
【実施例１】
【００３６】
図１は、実施例１の吸込ホースのフランジ継ぎ手部分の支持具１の正面図（ａ）と側面図（ｂ）、図２は、そのＡ−Ａ断面図である。図１において、２点鎖線で示された吸込ホース２ａ及び２ｂは、フランジ継ぎ手３のフランジ３ａ及び３ｂにより相互に結合されている。吸込ホースのフランジ継ぎ手部分の支持具１は、二つのフランジ３ａ及び３ｂのそれぞれの突縁４ａ及び４ｂを挟み込む形の二つ割れのＡクランプ部材５、及び、Ｂクランプ部材６から成っている。
【００３７】
Ａクランプ部材５、及び、Ｂクランプ部材６は、それぞれがフランジ継ぎ手の突縁４ａ及び４ｂの外周に沿うように曲げられ、その突縁の外周のほぼ半分の長さを有する板材５ａ及び６ａを本体とし、Ａクランプ部材５はフランジ継ぎ手固定対象部材８に取りつけられるための脚部５ｂと、Ｂクランプ部材６との結合部分５ｃを有し、Ｂクランプ部材６はＡクランプ部材に固定するための結合部分６ｃを有する。
【００３８】
この支持具の使用に当たっては、まず、フランジ継ぎ手固定対象部材８にＡクランプ部材５の脚部５ｂを溶接やボルト５ｄ・ナット等の留め具を用いて固定する。そのＡクランプ部材５のフランジ継ぎ手３のフランジの突縁４ａ及び４ｂの外周に沿うように曲げられた板材５ａに、固定すべきフランジ継ぎ手の二つの突縁４ａ及び４ｂをあてがい、その二つの突縁を上から覆うように、Ｂクランプ部材のフランジ継ぎ手の突縁の外周に沿うように曲げられた板材６ａをフランジ継ぎ手の突縁４ａ及び４ｂに合わせたのちに、Ｂクランプ部材の結合部分６ｃをボルト７ａ・ナット７ｂ等の留め具でＡクランプ部材の結合部分５ｃに固定する。ここで、留め具はボルト・ナットに限らず、例えば、片側をヒンジ構造にする等のバリエーションが考えられる。
【００３９】
この支持具１を使用することにより、フランジ継ぎ手３ａ及び３ｂで相互に結合された長尺の吸込ホースのフランジ継ぎ手３部分そのものをしっかりと固定することができ、フランジ継ぎ手３を床にじか置きでなく、床との間に隙間を空けて配置することができる。フランジ継ぎ手３に係る作業が容易になり、腐食を防止することができる。
【００４０】
さらに、この支持具１を使用することにより、フランジ継ぎ手３をフランジ継ぎ手固定対象部材８にしっかりと固定することができるので、吸込ホースの内部流体に圧力変動等が生じても、フランジ継ぎ手３が振動したり、踊ったりして動くことが防止できて、フランジ継ぎ手３に近接する吸込ホースに局部的な応力がかかり、吸込ホースの耐久性に問題を生ずることを防止できる。
【実施例２】
【００４１】
図３は、実施例２の吸込ホースのフランジ継ぎ手部分の支持具１４の正面図（ａ）とＢ−Ｂ断面図（ｂ）である。この実施例の説明に当たっては、理解を容易にするために、実施例１で使われている部材と同じ形状を持ち、同じ機能を果たす部材には、同じ名称と同じ符番を用いることとする。
【００４２】
本支持具１４も、実施例１の支持具１と同様に、２点鎖線で示された吸込ホース２ａ及び２ｂを結合するフランジ継ぎ手３のフランジの突縁４ａ及び４ｂを挟み込む形の二つ割れのＣクランプ部材１５、及び、Ｄクランプ部材１６から成っている。
【００４３】
Ｃクランプ部材１５、及び、Ｄクランプ部材１６は、それぞれがフランジ継ぎ手の突縁４ａ及び４ｂの外周に沿うように曲げられ、その突縁の外周のほぼ半分の長さを有する板材５ａ及び６ａを本体とし、Ｃクランプ部材１５はフランジ継ぎ手固定対象部材８に取りつけられるための脚部５ｂと、Ｄクランプ部材１６との結合部分５ｃを有し、Ｄクランプ部材１６はＣクランプ部材１５に固定するための結合部分６ｃを有することは、実施例１の支持具と変わらない。
【００４４】
本支持具１４と実施例１の支持具１との違いは、板材５ａ及び５ｂの幅方向の両端部に、フランジ継ぎ手の二つの突縁４ａ及び４ｂの側壁を両側から挟む形の円弧状の凸部５ｅ及び６ｅを設けたことである。
【００４５】
この構成を採用することにより、この支持具１４を用いるに当たっては、まずフランジ継ぎ手固定対象部材８に固定されたＣクランプ部材１５の板材５ａ部分に、固定すべきフランジ継ぎ手の二つの突縁をあてがう際に、作業員は二つの円弧状の凸部５ｅ及び６ｅの間にそのフランジ継ぎ手の突縁４ａ及び４ｂを置くことにより、容易にそのフランジ継ぎ手３の位置、特に、吸込ホース２の軸方向の位置を合わせることができる。
【００４６】
作業員は、その位置でフランジ継ぎ手３をＣクランプ部材の板材５ａに押しつけながら、さらにその二つの突縁４ａ及び４ｂを上から覆うように、Ｄクランプ部材１６の板材６ａ部分をフランジ継ぎ手の突縁に合わせ、Ｄクランプ部材１６の結合部分６ｃをボルト７ａ・ナット７ｂ等の留め具でＣクランプ部材１５の結合部分５ｃに固定する作業を行う。作業は一人でも容易に行うことができ、二人作業の必要がなくなるので省力化の効果も得られる。
【実施例３】
【００４７】
図４は、本発明のフランジ継ぎ手で相互に結合された吸込ホースの配管方法の説明図である。図５は、同配管方法で実施例１のフランジ継ぎ手部分の支持具１と共に使用する吸込ホースの吸込ホース部分の支持具６の正面図（ａ）と側面図（ｂ）である。
【００４８】
吸込ホース部分の支持具１１は、従来から鋼管性配管の配管部分の支持や固定に用いられてきたものと同様に、Ｕ字型の棒材１１ａから成り、溶接やナット１２等の留め具で吸込ホース固定対象部材１３に固定されることにより、フランジ継ぎ手で相互に結合された吸込ホースの吸込ホース２部分を吸込ホース固定対象部材１３にしっかりと固定する。支持具１１の本体を棒材ではなく板材とし、溶接やボルト・ナット等の留め具で吸込ホース固定対象部材１３に固定しても良い。
【００４９】
実施例１に記載のフランジ継ぎ手部分の支持具１と、吸込ホース部分を固定部材に固定する支持具１１とを、フランジ継ぎ手で相互に結合された吸込ホースの固定に適切な位置に配置し、それぞれの固定対象部材に固定することにより、フランジ継ぎ手で相互に結合された吸込ホース全体をしっかりと、かつ、本設配管同様に設計図面に従って指示された位置に配置することができる。固定対象部材８、１３を適宜配置すれば、フランジ継ぎ手で相互に結合された吸込ホースを空中に敷設することも容易である。
【符号の説明】
【００５０】
１            実施例１の吸込ホースのフランジ継ぎ手部分の支持具
２、２ａ、２ｂ      吸込ホース
３            フランジ継ぎ手
３ａ、３ｂ    フランジ
４、４ａ、４ｂ    フランジの突縁
５            Ａクランプ部材
６            Ｂクランプ部材
５ａ、６ａ    クランプ部材の板材
５ｂ          同  脚部
５ｃ、６ｃ    同  結合部分
５ｄ          ボルト
５ｅ、６ｅ    円弧状の凸部
７ａ、７ｂ    ボルト・ナット
８            フランジ継ぎ手固定対象部材
１１            吸込ホース部分の支持具
１１ａ          同  棒材
１２            ナット
１３            吸込ホース固定対象部材
１４            実施例２の吸込ホースのフランジ継ぎ手部分の支持具
１５            Ｃクランプ部材
１６            Ｄクランプ部材
【図１】
2018004065.tif 000003
【図２】
2018004065.tif 000004
【図３】
2018004065.tif 000005
【図４】
2018004065.tif 000006
【図５】
2018004065.tif 000007